(57)【特許請求の範囲】
【請求項１】
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、リカバリー対象とする断裁周期内の画像枚数を設定可能とし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定すること
を特徴とする画像形成装置。
【請求項２】
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、画像データーに断裁位置を付加する設定操作を可能にし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする画像形成装置。
【請求項３】
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、リカバリー対象とする断裁周期内の給紙長さを設定可能とし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする画像形成装置。
【請求項４】
前記制御部は、前記画像データーの決定に基づいて、ジョブの再出力を行うことを特徴とする請求項１〜３のいずれか１項に記載の画像形成装置。
【請求項５】
前記制御部は、断裁周期内に格納される画像枚数を把握し、把握した枚数分のリカバリー出力を行うことを特徴とする請求項１〜４のいずれか１項に記載の画像形成装置。
【請求項６】
前記制御部は、画像データーに断裁位置を付加する機能を有し、前記断裁位置を有する画像データーが出力されてから、次の断裁位置の画像データーが出力されるまでの画像データーをリカバリー対象とすることを特徴とする請求項１〜５のいずれか１項に記載の画像形成装置。
【請求項７】
前記制御部は、給紙長さにおいて断裁周期を設定することを特徴とする請求項１〜６のいずれか１項に記載の画像形成装置。
【請求項８】
前記制御部で制御される操作表示部を有し、
前記制御部は、前記操作表示部の操作内容によって、断裁周期の設定が可能であることを特徴とする請求項１〜７のいずれか１項に記載の画像形成装置。
【請求項９】
前記制御部は、前記単位によるリカバリー対象とする画像について排紙完了すると、それらの画像データーを記憶領域から削除し、次のページから始まる前記単位のセットをリカバリー開始ページに更新することを特徴とする請求項１〜８のいずれか１項に記載の画像形成装置。
【請求項１０】
画像データーを外部から受信する画像データー受信部をさらに備えることを特徴とする請求項１〜９のいずれか１項に記載の画像形成装置。
【請求項１１】
前記連続転写媒体の断裁を行う断裁部をさらに備えることを特徴とする請求項１〜１０のいずれか１項に記載の画像形成装置。
【請求項１２】
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、リカバリー対象とする断裁周期内の画像枚数を設定可能とし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする画像形成装置管理装置。
【請求項１３】
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、画像データーに断裁位置を付加する設定操作を可能にし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする画像形成装置管理装置。
【請求項１４】
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、リカバリー対象とする断裁周期内の給紙長さを設定可能とし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする画像形成装置管理装置。
【請求項１５】
印刷で使用する画像データーに基づいて連続転写媒体に画像を形成する際の画像形成リカバリー方法において、
リカバリー対象とする断裁周期内の画像枚数を設定するステップと、
画像を形成する際に前記連続転写媒体を断裁する位置を設定するステップと。
画像形成中に前記連続転写媒体にジャムが発生すると、断裁位置間に含まれる画像のセットを単位として、リカバリーの再出力を開始する画像データーを決定するステップと、を有することを特徴とする画像形成リカバリー方法。
【請求項１６】
印刷で使用する画像データーに基づいて連続転写媒体に画像を形成する際の画像形成リカバリー方法において、
リカバリー対象とする断裁周期内の給紙長さを設定するステップと、
連続転写媒体に画像を形成する際に前記連続転写媒体を断裁する位置を設定するステップと、
画像形成中に前記連続転写媒体にジャムが発生すると、断裁位置間に含まれる画像のセットを単位として、リカバリーの再出力を開始する画像データーを決定するステップと、を有することを特徴とする画像形成リカバリー方法。
【請求項１７】
前記画像データーの決定に基づいて、ジョブの再出力を行う指令を行うステップをさらに備えることを特徴とする請求項１５または１６に記載の画像形成リカバリー方法。
【発明の詳細な説明】
【技術分野】
【０００１】
この発明は、連続転写媒体に画像を形成する際に発生するジャムに対するリカバリー印刷が可能な画像形成装置およびその管理装置ならびに画像形成リカバリー方法に関するものである。
【背景技術】
【０００２】
画像形成装置で印刷を行う場合、用紙のジャムが発生すると、出力がされていない画像から再度印刷を行うリカバリー印刷の機能が知られている。
例えば、特許文献１では、印刷対象の印刷データーをデーター蓄積部に保存して印刷データーに基づいてロール紙に印刷している途中に異常中断すると、印刷データーにおける中断位置を取得し操作表示部での操作によって、該中断位置から印刷済み印刷データー方向の任意の位置が印刷再開位置として設定され、指定された該印刷再開位置から以降の印刷データーをデーター蓄積部から読み出して、画像形成部によるロール紙への印刷を再開する装置が提案されている。この装置では、用紙切れ等で印刷が中断した場合に消耗品の消費を抑制しつつ利用性が良好な状態で効率的に印刷を再開することができるものとしている。
【０００３】
また、特許文献２では、第１の印刷情報が入力されると、その印刷長さを計算し最終的に作製される両面印刷物１の長さを計算し、次に、記録媒体の裏面に印刷する印刷情報ブロック２を選択する。印刷情報ブロック２を各々の優先度に基づいて選択するが、最後に選択される１つの印刷情報ブロック２は、両面印刷物の長さに基づいて、裏面に、選択された印刷情報ブロック２が順番に並んで印刷された時に、全ての余白部分が、所定の許容範囲内に入る均一な長さになるように選択する。こうして、第２の印刷情報を確定させたら、記録媒体の表面に第１の印刷情報を印刷し、カッター部によって切断し、裏面に第２の印刷情報を印刷することができる。特許文献２では、第１の印刷情報の印刷範囲に合わせた長さの単票紙状の印刷物の他方の面に、適切なレイアウトで第２の印刷情報を印刷することができるものとしている。
【先行技術文献】
【特許文献】
【０００４】
【特許文献１】特開２０１２−１４８４３７号公報
【特許文献２】特開２００８−１８８８７４号公報
【発明の概要】
【発明が解決しようとする課題】
【０００５】
ところで、画像形成装置で連続紙に対し印刷を行う場合、所定の周期などの間隔で断裁を行う場合がある。通常の連続紙の出力では、画像データーの紙印字が終了した後は画像メモリ上からは画像データーが消去されてしまう。このためジャム除去後のリカバリー出力をジャム発生時の画像データーから再開すると、断裁位置間にある画像データーが印字された出力物を得ることができない場合が生じてくる。
このような出力状態を、図１２の出力例によって説明する。Ａ図の出力例では、２ページ周期で断裁位置が設定されており、ページ１〜３で排紙完了し、４ページ目の排紙前にジャムが発生したものを想定する。通常は、排紙完了したページ１〜３は、Ｂ図に示すように、画像メモリから画像消去がされており、断裁位置対象の３ページ目の再出力を行うことができない。
【０００６】
特許文献１では、ＪＡＭが発生した時に、どの位置からリカバリー出力するかを設定する画面を表示し、ユーザーは設定画面にて最適なリカバリー位置を指示することができる。図１３に示す出力例では、４ページ目でＪＡＭが発生した時に、設定画面上にどのような方法でリカバリーするかを表示し、例えば、（ａ）ｎ枚目前からの画像からリカバリー、（ｂ）ｎ枚周期でリカバリー、（ｃ）ｘｘ  ｃｍ前からリカバリーなど、ユーザーがリカバリーしたい位置を設定することが可能である。図では、ｎは２、ｘｘは５０に設定されている。ただし、この装置では、取得したジョブの全ての画像が出力完了するまでメモリ上に画像データーが可能されている必要があり、画像メモリを効率的に使用することができない。
【０００７】
また、（ａ）の方法でリカバリー指定した場合は、断裁周期内に格納されている画像枚数と断裁周期内の何枚目の出力にてＪＡＭが発生しているかを把握している必要があり、ＪＡＭ発生時にユーザーが出力内容を確認する必要があり、（ｂ）の方法でリカバリー指定した場合、断裁周期内に格納されている画像枚数が固定でない場合（図１４参照）は、正しく指定することができず、（ｃ）の方法でリカバリー指定した場合もＪＡＭ発生時にユーザーが出力内容を確認する必要がある、というように、ユーザーにとって断裁周期でのリカバリー出力を効率的に実施できず、また指定することができないとい課題がある。
図１４では，５ページ目の排紙前にジャムが発生すると、枚数単位でのリカバリー設定の場合、５ページから出力されるので、３、４ページの再出力ができず、３−５ページの出力が得られない。
【０００８】
また、特許文献２は、画像印刷長に応じて適切な位置で断裁する手法について記載されたものであり、断裁位置を考慮した再出力についての考慮はなされていない。
【０００９】
本願発明は、上記事情を背景としてなされたものであり、断裁出力においてのリカバリー設定を効率良く行うことができ、断裁位置間の全ての画像データーをリカバリー出力することができる画像形成装置、画像形成装置管理装置および画像形成リカバリー方法を提供することを目的とする。
【課題を解決するための手段】
【００１０】
すなわち、本発明の画像形成装置の発明のうち、第１の形態は、
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、リカバリー対象とする断裁周期内の画像枚数を設定可能とし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定すること
を特徴とする。
他の形態の画像形成装置の発明は、
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、画像データーに断裁位置を付加する設定操作を可能にし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする。
他の形態の画像形成装置の発明は、
印刷で使用する画像データーに基づいて画像を形成する画像形成部と、
転写媒体の搬送を行う搬送部と、
前記搬送と前記画像の形成を制御する制御部と、
前記制御部で制御される操作表示部を有し、
前記制御部は、前記操作表示部において、リカバリー対象とする断裁周期内の給紙長さを設定可能とし、
前記制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする。
【００１１】
他の形態の画像形成装置の発明は、前記形態の本発明において、前記制御部は、前記画像データーの決定に基づいて、ジョブの再出力を行うことを特徴とする。
【００１２】
他の形態の画像形成装置の発明は、前記形態の本発明において、前記制御部は、断裁周期内に格納される画像枚数を把握し、把握した枚数分のリカバリー出力を行うことを特徴とする。
【００１３】
他の形態の画像形成装置の発明は、前記形態の本発明において、前記制御部は、画像データーに断裁位置を付加する機能を有し、前記断裁位置を有する画像データーが出力されてから、次の断裁位置の画像データーが出力されるまでの画像データーをリカバリー対象とすることを特徴とする。
【００１４】
他の形態の画像形成装置の発明は、前記形態の本発明において、前記制御部は、給紙長さにおいて断裁周期を設定することを特徴とする。
【００１５】
他の形態の画像形成装置の発明は、前記形態の本発明において、前記制御部で制御される操作表示部を有し、
前記制御部は、前記操作表示部の操作内容によって、断裁周期の設定が可能であることを特徴とする。
【００１９】
他の形態の画像形成装置の発明は、前記形態の本発明において、前記制御部は、前記単位によるリカバリー対象とする画像について排紙完了すると、それらの画像データーを記憶領域から削除し、次のページから始まる前記単位のセットをリカバリー開始ページに更新することを特徴とする。
【００２０】
他の形態の画像形成装置の発明は、前記形態の本発明において、画像データーを外部から受信する画像データー受信部をさらに備えることを特徴とする。
【００２１】
他の形態の画像形成装置の発明は、前記形態の本発明において、前記連続転写媒体の断裁を行う断裁部をさらに備えることを特徴とする。
【００２２】
本発明の画像形成装置管理装置の発明のうち第１の形態は、
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、リカバリー対象とする断裁周期内の画像枚数を設定可能とし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする。
他の形態の画像形成装置管理装置の発明は、
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、画像データーに断裁位置を付加する設定操作を可能にし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする。
他の形態の画像形成装置管理装置の発明は、
印刷で使用する画像データーに基づいて画像を形成する画像形成装置の管理装置であって、
画像形成装置との間で通信を行う通信部と、
前記通信および操作表示部を制御する管理制御部を有し、
前記管理制御部は、前記操作表示部において、リカバリー対象とする断裁周期内の給紙長さを設定可能とし、
前記管理制御部は、連続転写媒体に画像を形成する際に前記連続転写媒体を断裁する位置を設定し、画像形成中に前記連続転写媒体にジャムが発生すると、断裁位置間に含まれる画像のセットを単位として、リカバリーの再出力を開始する画像データーを決定することを特徴とする。
【００２３】
本発明の画像形成リカバリー方法の発明のうち、第１の形態の本発明は、
印刷で使用する画像データーに基づいて連続転写媒体に画像を形成する際の画像形成リカバリー方法において、
リカバリー対象とする断裁周期内の画像枚数を設定するステップと、
画像を形成する際に前記連続転写媒体を断裁する位置を設定するステップと。
画像形成中に前記連続転写媒体にジャムが発生すると、断裁位置間に含まれる画像のセットを単位として、リカバリーの再出力を開始する画像データーを決定するステップと、を有することを特徴とする。
他の形態の画像形成リカバリー方法の発明は、印刷で使用する画像データーに基づいて連続転写媒体に画像を形成する際の画像形成リカバリー方法において、
リカバリー対象とする断裁周期内の給紙長さを設定するステップと、
連続転写媒体に画像を形成する際に前記連続転写媒体を断裁する位置を設定するステップと、
画像形成中に前記連続転写媒体にジャムが発生すると、断裁位置間に含まれる画像のセットを単位として、リカバリーの再出力を開始する画像データーを決定するステップと、を有することを特徴とする。
【００２５】
他の形態の画像形成リカバリー方法の発明は、前記形態の本発明において、前記画像データーの決定に基づいて、ジョブの再出力を行う指令を行うステップをさらに備えることを特徴とする。
【発明の効果】
【００２６】
以上説明したように、本発明によれば、連続転写媒体のリカバリー出力において、断裁位置を考慮したリカバリー出力を行うことができる効果がある。
【図面の簡単な説明】
【００２７】
【図１】本発明の一実施形態の画像形成装置の機械的概略を示す図である。
【図２】同じく、電気的なブロック図を示す図である。
【図３】同じく、断裁周期分の先頭ページをリカバリー位置としてリカバリー出力の再出力を開始する画像データーを決定した出力例を示す図である。
【図４】図３に示す決定手順を示すフローチャートである。
【図５】本発明の他の実施形態において、画像データーの印字開始位置と断裁位置との比較によってリカバリー出力の再出力を開始する画像データーを決定した出力例を示す図である。
【図６】図６に示す決定手順を示すフローチャートである。
【図７】本発明の他の実施形態において、画像データーに断裁位置を付加した出力例を示す図である。
【図８】図７に示す決定手順を示すフローチャートである。
【図９】本発明の他の実施形態において、断裁周期のリカバリー出力設定画面の例を示す図である。
【図１０】本発明の他の実施形態において、画像枚数で断裁周期を設定したときの出力例と、給紙長さを設定したときの出力例を示す図である。
【図１１】本発明の他の実施形態において、断裁位置の付加を設定する設定画面の例を示す図である。
【図１２】従来技術でジャムが発生した際の状況と、出力例を示す図である。
【図１３】他の従来技術でジャムが発生した際の状況と、画像メモリの登録状態を示す図である。
【図１４】同じく、枚数周期を設定した際のジャムの発生状況と出力例を示す図である。
【発明を実施するための形態】
【００２８】
以下に、本発明の一実施形態を添付図面に基づいて説明する。
図１は、本発明の一実施形態における画像形成装置を示すものである。
画像形成装置１は、画像形成部を備える装置本体１Ａを備え、装置本体１Ａの前段側には給紙調整部３００が接続され、給紙調整部３００の前段側に給紙部２００が接続されている。また、装置本体１Ａの用紙排出側には排紙調整部４００が接続され、排紙調整部４００の用紙排出側には巻取部５００が接続されている。
【００２９】
なお、この実施形態では、装置本体１Ａと、装置本体１Ａに接続された装置とによって画像形成装置１が構成されているものとして説明しているが、装置本体１Ａに接続される装置の種別や数が特に限定されるものではなく、また、装置本体１Ａのみによって画像形成装置が構成されているものであってもよい。その場合、装置本体１Ａをその他装置とともに画像形成システムを構成するものであってもよい。
【００３０】
給紙部２００は、連続用紙としてのロール紙を収納、保持し、給紙する機能を有する。
給紙調整部３００は、給紙部２００と装置本体１Ａとの間の微小な速度差および寄りを吸収するためのバッファ機能を有する。排紙調整部４００は、装置本体１Ａと巻取部５００の間の微小な速度差および寄りを吸収する為のバッファ機能を有する。なお、装置本体１Ａと巻取部５００との間などに、ロール紙の断裁を行う断裁部を設置するようにしてもよく、オフラインで断裁部による断裁を行うようにしてもよい。
巻取部５００は、排紙したロール紙を巻き取って保持する機能を有する。
【００３１】
なお、この実施形態では、連続紙としてロール紙を使用しているが、連続紙がロール紙に限定されるものではなく、用紙が連続しているものであればよく、連続伝票用紙、連続帳票用紙なども含まれる。連続紙はロール紙の形態で提供されるものでもよく、また、交互に畳まれた形態のものであってもよい。連続紙は、本発明の連続転写媒体に相当する。連続転写媒体は、必ずしも紙であることが必須とされるものではない。
【００３２】
画像形成装置１は、用紙に画像を形成する画像形成部１１０を装置本体１Ａ内に有しており、装置本体１Ａ上部には、操作者の操作を受けるとともに、情報を表示する操作表示部１４０を有している。操作表示部１４０は、操作を行う操作部と表示を行う表示部とが別体で構成されていてもよく、タッチパネルＬＣＤなどのように操作部と表示部とが一体に構成されているものであってもよい。
【００３３】
画像形成装置１は、給紙部２００から給紙調整部３００、画像形成部１１０に至り、さらに画像形成部１１０から排紙調整部４００、巻取部５００に至る搬送路２２を有している。
搬送路２２は、用紙を搬送するものである。搬送路２２上には、複数位置において用紙検知部１８（図では１カ所）が配置されている。なお、用紙検知部１８の設置位置はこれに限定されるものではなく、搬送路２２の適宜箇所に設置される。用紙検知部１８は、光学センサーなどを用いて給紙装置２００から給紙されたロール紙の主走査幅と、ロール紙の先端・後端を検知する。
搬送路２２では、給紙部２００に収容されているロール紙が給紙される。
この実施形態では、搬送路２２や、搬送ローラー、回転駆動されるローラーを駆動する図示しないモータなどによって本発明の搬送部が構成される。
【００３４】
画像形成部１１０では、各色（シアン、マゼンタ、イエロー、ブラックなど）用にそれぞれ用意された感光体を有し、各感光体の周線部に図示しない帯電器、書き込み部および現像ユニットが配設されていている。帯電器によって帯電した感光体表面は、画像メモリなどに記録された原稿の画像情報に基づいて、ＬＤなどの書き込み部により像露光が行われ、感光体表面には潜像が形成される。潜像は現像ユニットによって現像がなされてトナー像となる。トナー像は、中間転写ベルトに転写され、中間転写ベルトの画像は、搬送路２２で搬送されロール紙に転写される。なお、本発明としては、各色用に感光体を有し、中間転写ベルトを有するカラー画像形成装置について説明を行ったが、本発明としては、画像形成装置は、モノクロ画像形成装置からなるものであってもよい。
【００３５】
画像形成部１１０で画像が転写されて熱と圧力とを加えることにより定着された画像は、ロール紙の搬送とともに装置本体１Ａ外に排出される。
【００３６】
次に、画像形成装置１における機能的な説明を図２のブロック図に基づいて行う。
画像形成装置１は、主要な構成として、制御ブロック１１０とスキャナー部１３０と操作表示部１４０とプリンター部１５０とを有するコピア本体と、ネットワーク３を通して外部機器（ＰＣ）２との間で入出力される画像データーを処理する画像処理部（プリント＆スキャナーコントローラー）１６０とを備えている。
【００３７】
制御ブロック１１０はＰＣＩバス１１２を有しており、ＰＣＩバス１１２は制御ブロ
ック部１１０内でＤＲＡＭ制御ＩＣ１１１に接続されている。また、ＰＣＩバス１１２には、ＨＤＤ１２７が接続されている。ＨＤＤ１２７では、画像データーの格納などをすることができる。
【００３８】
さらに制御ブロック１１０には、制御ＣＰＵ１１３を備えており、該制御ＣＰＵ１１３に前記ＤＲＡＭ制御ＩＣ１１１が接続されている。また、制御ＣＰＵ１１３には、不揮発メモリ１１５が接続されている。該不揮発メモリ１１５には、上記制御ＣＰＵ１１３を動作させるためのプログラムや画像形成装置１の設定データー、プロセス制御パラメーターなどが格納されている。
制御ＣＰＵ１１３は、画像形成装置１の全体を制御し、また画像形成装置全体の状態把握を行うものであり、ロール紙の搬送制御、画像形成制御などを行う。すなわち、制御ＣＰＵ１１３は、本発明の制御部の一部として機能する。制御ＣＰＵ１１３は、搬送制御に際し、ＪＡＭの発生を検知することができる。
【００３９】
前記スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されており、制御ＣＰＵ１１３による制御を受ける。なお、スキャナー制御部１３２は、ＣＰＵやこれを動作させるプログラムなどによって構成することができる。前記ＣＣＤ１３１で読み取った画像データーは、読み取り処理部１１６でデーター処理がなされる。
【００４０】
前記操作表示部１４０は、タッチパネル式のＬＣＤ１４１と、操作部制御部１４２とを備えており、上記ＬＣＤ１４１と操作部制御部１４２とが接続され、該操作部制御部１４２と前記制御ＣＰＵ１１３とがシリアル通信可能に接続されている。該構成によって操作表示部１４０の制御が制御ＣＰＵ１１３によって行われる。なお、操作部制御部１４２は、ＣＰＵやこれを動作させるプログラムなどによって構成することができる。
操作表示部１４０では、装置本体１Ａ、給紙装置２００の設定を行い、設定に基づいて画像形成制御と給紙装置２００のロール給紙を制御する。
【００４１】
操作表示部１４０では、画像形成装置１における設定や動作指令などの動作制御条件の入力が可能となっており、さらに設定内容、機械状態、情報の表示等が可能になっており、上記制御ＣＰＵ１１３により制御される。この操作表示部１４０によって、所定の操作などを行うことができる。例えば、制御ＣＰＵ１１３で実行されるリカバリー出力における断裁周期の設定などを行うことができる。また、初期設定によって、断裁周期の設定されており、これを変更できるものであってもよい。
【００４２】
また、ＤＲＡＭ制御ＩＣ１１１は、圧縮メモリ１２１とページメモリ１２２とからなる画像メモリ１２０に接続されている。該画像メモリ１２０には、前記スキャナー部１３０で取得した画像データーやネットワーク３を通して取得した画像データーが格納される。上記のように画像メモリ１２０は、画像データーの記憶領域であり、印刷するジョブの画像データーを格納する。また、上記ＤＲＡＭ制御ＩＣ１１１によって複数のジョブに関する画像データーを画像メモリ１２０に記憶させることができる。すなわち、画像メモリ１２０には予約されたジョブの画像データーの格納も可能である。また、画像データーは、ＨＤＤ１２７に格納することもできる。
【００４３】
ＤＲＡＭ制御ＩＣ１１１には、画像データーを圧縮する圧縮ＩＣ１１８と、圧縮された画像データーを伸長する伸長ＩＣ１２５が接続されている。伸長ＩＣ１２５には書き込み処理部１６が接続されている。該書き込み処理部１２６は、プリンター部１５０のＬＤ１５２に接続され、該ＬＤ１５２の動作に用いられるデーターの処理を行う。ＬＤ１５２は、各色用のＬＤを総称するものである。また、プリンター部１５０は、画像形成部１１０や搬送経路２２を含む搬送部を制御する。
【００４４】
プリンター部１５０には、プリンター部１５０全体を制御するプリンター制御部１５１を備えており、該プリンター制御部１５１は、前記した制御ＣＰＵ１１３に接続されて制御を受ける。すなわち、制御ＣＰＵ１１３から与えられるパラメーターに従い、プリント動作の開始／停止を行う。プリンター制御部１５１には、給紙部２００のロール給紙制御部２１０が制御可能に接続されており、制御ＣＰＵ１１３の指令によってプリンター制御部１５１を介してロール紙の給紙の制御を行うことができる。制御ＣＰＵ１１３では、プリンター制御部１５１からの情報によってロール紙のＪＡＭ発生を検知することができる。ＪＡＭ発生は搬送部の動作や用紙検知部１８の検知結果などによって把握することができる。
【００４５】
また、前記ＤＲＡＭ制御ＩＣ１１１に接続された前記ＰＣＩバス１１２には、前記した画像処理部（プリント＆スキャナーコントローラー）１６０のＤＲＡＭ制御ＩＣ１６１が接続されている。画像処理部（プリント＆スキャナーコントローラー）１６０では、ＤＲＡＭ制御ＩＣ１６１に画像メモリ１６２が接続されている。また、画像処理部（プリント＆スキャナーコントローラー）１６０では、前記ＤＲＡＭ制御ＩＣ１６１にコントローラー制御ＣＰＵ１６３が接続されており、ＤＲＡＭ制御ＩＣ１６１に、ＬＡＮインターフェース１６５が接続されている。ＬＡＮインターフェース１６５は、ネットワーク３に接続されている。
ネットワーク３には、外部機器（ＰＣ）２などが接続されており、画像形成装置１との間で画像データーの送受信を行うことができる。
【００４６】
さらに、制御ＣＰＵ１１３には、ＬＡＮインターフェース１２８が接続されており、ＬＡＮインターフェース１２８には、ネットワーク４が接続されている。ネットワーク４には、ＮＩＣ５Ａを介して管理装置５が接続されている。ＮＩＣ５Ａは通信部に相当する。さらに管理装置５は、管理制御部５Ｂを有しており、管理制御部５Ｂの動作によって画像形成装置１を管理することができる。管理制御部５Ｂは、ＣＰＵやこれを動作させるプログラム、記憶部などによって構成することができる。管理制御部５Ｂでリカバリーの管理を行うこともできる。管理装置５は、本発明の画像形成装置管理装置に相当する。
【００４７】
次に、上記画像形成装置１の基本的動作について説明する。
先ず、画像形成装置１において画像データーを蓄積する手順について説明する。
スキャナー部１３０で原稿の画像を読み取り、画像データーを生成する場合、スキャナー部１３０において原稿からＣＣＤ１３１により原稿の画像を光学的に読み取る。この際には、制御ＣＰＵ１１３から指令を受けるスキャナー制御部１３２によってＣＣＤ１３１の動作制御を行う。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリ１２１やＨＤＤ１２７に格納される。圧縮メモリ１２１やＨＤＤ１２７に格納された画像データーは、制御ＣＰＵ１１３によってジョブとして管理することができる。
【００４８】
画像データーを外部から取得する場合、例えば、外部機器（ＰＣ）２からネットワーク３を通して送信される画像データーは、ＬＡＮインターフェース１６５を介してＤＲＡＭ制御ＩＣ１６１により画像メモリ１６２に格納される。画像メモリ１６２のデーターは、ＤＲＡＭ制御ＩＣ１６１、ＰＣＩバス１１２、ＤＲＡＭ制御ＩＣ１１１を介してページメモリ１２２に一旦格納される。ページメモリ１２２に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリ１２１やＨＤＤ１２７に格納され、上記と同様に制御ＣＰＵ１１３による管理がなされる。
なお、画像データーの読み込み時、受信したデーターから結合ＪＯＢ単位を作成し、そのデーターを圧縮メモリ１２１に保存することができる。
【００４９】
画像形成装置１で画像出力を行う場合、すなわち複写機やプリンターとして使用する場合、圧縮メモリ１２１やＨＤＤ１２７に格納された画像データーを、ＤＲＡＭ制御ＩＣ１１１を介して伸長ＩＣ１２５に送出して、画像データーを展開し、その展開された画像データーを書き込み処理部１２６にて繰り返しＬＤ１５２に展開することで、ロール紙ＲＰに画像データーを印字している。
複写機として使用する場合、操作表示部１４０上で設定された印刷条件（プリントモード）等の情報を通知し、画像制御ＣＰＵ１１３で設定情報を作成する。作成された設定情報は制御ＣＰＵ１１３内のＲＡＭに格納することができる。確認コピー、通常印刷の指定もここで行う。
プリンターとして用いる場合、印刷条件は、外部機器（ＰＣ）２内のプリンタドライバが該当する。ここで設定された印刷条件は、画像と同様に（外部機器（ＰＣ）２→  ＬＡＮ  ＩＦ１６４→  画像メモリ１６２→  ＤＲＡＭ制御ＩＣ１６１（コントローラー）→  ＤＲＡＭ制御ＩＣ１１１（本体）→  ページメモリ１２０に格納される。
【００５０】
また、プリンター部１５０では、制御ＣＰＵ１１３の指令を受けたプリンター制御部１５１によって各部の制御が行われる。画像形成部１００では各感光体に書き込まれたトナー像が中間転写ベルトに転写された後、給紙部２００によって供給されるロール紙ＲＰに転写され、定着される。画像形成がなされた用紙は、搬送路２２によって排紙調整部４００へと搬送され、さらに下流側の巻取部５００でロールに巻き取られて保持される。複数の予約ジョブがある場合、上記画像出力が設定順番に従って順次行われる。
【００５１】
本実施形態では給紙部２００より給紙されたロール紙ＲＰ上に配置された画像データーを、オフライン機、又はオンライン機の断裁部にて断裁することを想定しており、制御部では、ロール紙の出力中にＪＡＭが発生したときのリカバリー出力が可能になっている。その際には、制御部は、断裁位置間に含まれる画像のセットを単位として、リカバリーの再出力を開始する画像データーを決定する
【００５２】
図３のＡ図は、本実施形態において、７ページジョブにおいて、一つ目の断裁周期に２ページ、二つ目の断裁周期に３ページ、三つ目の断裁周期に２ページの画像データーが収まるように出力指示を受けており、途中のページで排紙完了することなくジャムが発生した状態を示している。
【００５３】
この例では、受信した画像データーをロール給紙後に断裁周期分の出力が完了したかを判断し、断裁周期分の出力完了が判断し、断裁周期が超えていない場合は、断裁周期の先頭ページのリカバリー位置とし、断裁周期を超えた場合は、次に印字する画像データーのページをリカバリー位置の更新を実施する。図３のＡ図では５ページ目の画像出力中にＪＡＭが発生しており、ＪＡＭ発生時は二つ目の断裁周期を超えていないので、ＪＡＭ除去の画像データーの再出力は２つ目の断裁周期の先頭ページである３ページ目から再開される。
この際に、断裁位置間に含まれる画像のセットを単位として、一つの単位でリカバリーを行うテーブルがＢ図に示されている。
【００５４】
この例では、断裁位置間で発生した画像のセットの始まりのページからリカバリー出力を行っている。すなわち、１ページ目または２ページ目の第１の断裁周期でジャムが発生すると、１ページ目からリカバリー出力が開始される。
また、３ページ目〜５ページ目の第２の断裁周期でジャムが発生すると、３ページ目からリカバリー出力が開始し、６ページ目、７ページ目の第３の断裁周期でジャムが発生すると、６ページ目からリカバリー出力が開始する。これにより、どの部分でジャムが発生しても、断裁位置間の画像を確実にリカバリー出力することが可能になる。
すなわち、２ページ目、５ページ目の出力が完了した時点でリカバリー位置を更新することで、どのページでＪＡＭが発生しても断裁周期内の全てのページのリカバリー出力を実施することが可能となる。
【００５５】
次に、リカバリーの再出力を開始する画像データーを決定する手順を図４のフローチャートに基づいて説明する。なお、以降のフローチャートはいずれも制御部の制御によって実行される。
先ず、ステップ１で出力ページｎ＝１とリカバリー位置ｊ＝１を設定する。
次いで、ｎページの画像データーを出力し（ステップ２）、ｎページの画像出力中にＪＡＭが発生したかを判定する（ステップ３）。
ｎページの画像出力中にＪＡＭが発生していれば（ステップ３、Ｙｅｓ）、ステップ４に移行し、ＪＡＭが発生していなければ（ステップ３、Ｎｏ）、ステップ６に移行する。
【００５６】
ステップ４では、ＪＡＭリカバリー位置を出力ページに設定し、次いで、ＪＡＭ除去完了させリカバリー後の再出力を実施する（ステップｓ５）。その後、ステップ２へ移行する。
ステップ６では、全ページの出力が完了したかを判定し、全ページの出力が完了してれば（ステップ６、Ｙｅｓ）、手順を終了する。全ページの出力が終了していなければ（ステップｓ６、Ｎｏ）、ステップ７に移行する。
【００５７】
ステップ７では、出力ページ数ｎ＝ｎ＋１を更新し、断裁周期の画像データーの出力は全て完了したかを判定する（ステップ８）。
断裁周期の画像データーは全て出力している場合（ステップ８、Ｙｅｓ）、ステップｓ９に移行し、断裁周期の画像データーを全て出力していない場合（ステップ８、Ｎｏ）、ステップｓ２に移行する。
ステップ９では、リカバリー位置ｊ＝ｎへ更新し、ステップ２に移行する。
【００５８】
上記の例は、ＪＡＭ発生時の断裁周期にてリカバリー出力を実現する例である。ＪＯＢ出力時に画像データーを印字出力するごとに画像データーのページ数とリカバリー位置の更新を行う。リカバリー位置の更新有無は、次に出力する画像データーが断裁周期を越えているかを判断（ステップ８）し、越えている場合はリカバリー位置の更新（ステップ９）を実施する。本制御を実施することでＪＡＭが発生（ステップ）したときのリカバリー位置を出力ページに再設定（ステップ４）するだけで、断裁周期のリカバリー出力を実施することが可能となる。
【００５９】
図５は、他の実施形態における出力例を示す図である。
本実施形態では、画像データーを配置する時に画像データー印字の開始位置と断裁位置の比較を実施し、印字開始位置が断裁周期位置を越えている場合、リカバリーする画像データーの更新を行い、既に出力完了した画像データーを画像メモリ上から消去する。
図５の上図は、第５ページの画像データーを配置するときの例であり、第５ページの画像データーを配置するとき、２回目の断裁位置を越えていないので、リカバリーする位置は更新せず画像メモリ上にはページ３とページ４の情報が格納されたままである。
【００６０】
図５の中図は、第６ページの画像データーを配置するときの例であり、第６ページの画像データーを配置するとき、２回目の断裁位置を越えているので、リカバリーする位置を１回目の断裁位置から２回目の断裁位置に更新し、既に画像印字したページ３〜５までの情報を画像メモリ上から消去する。
図５の下図は、第７ページの画像データーを配置するときの例であり、第７ページの画像データーを配置するとき、３回目の断裁位置を越えていないので、リカバリーする位置は更新せず画像メモリ上には第６のページの情報が格納されたままである。
【００６１】
上記記載のように画像データーを配置するときに、画像印字開始位置と断裁周期位置を比較しリカバリー対象を逐次更新処理することで、断裁周期内に何枚の画像データーが格納される場合でも断裁周期でのリカバリー出力をすることが可能となる。
断裁周期位置は、制御部によって把握することができ、例えば、印刷条件や、操作表示部による入力枚数や、断裁位置の画像情報などによって把握することができる。
【００６２】
上記実施形態における手順を図６のフローチャートに基づいて説明する。以下の手順も制御部の制御によって実行される。
先ず、ステップ１０で、出力ページｎ＝１、リカバリー位置ｊ＝１を設定する。
次いで、ｎページの画像データーを配置し、画像データーを出力する（ステップ１１）。
次に、全ページの出力が完了したかを判定する（ステップ１２）。全ページの出力が完了していれば（ステップ１２、Ｙｅｓ）、出力済みの画像データーを消去し手順を終了する。
全ページの出力が完了していなければ（ステップ１２、Ｎｏ）、ステップｓ１３に移行する。
【００６３】
ステップｓ１３では、出力ページ（ｎ＝ｎ＋１）を更新し、画像データーを配置して出力して画像データーの画像配置位置は断裁周期位置を越えているかを判定する（ステップ１４）。画像データーの画像配置位置が断裁周期位置を越えている場合（ステップ１４、Ｙｅｓ）、ステップ１５に移行し、画像データーの画像配置位置が断裁周期位置を越えていない場合（ステップ１４、Ｎｏ）、ステップ１１に移行する。
ステップ１５では、リカバリー位置（ｊ＝ｎ）を更新し、出力済みの画像データーを消去する（ステップｓ１６）。その後、ステップ１１に移行する。
【００６４】
この実施形態の例では、断裁周期内に収まる画像データーの枚数を計算する例である。出力する画像データー配置したとき（ステップ１１）に、配置した画像データーの開始位置が断裁周期の断裁位置を越えているかを比較（ステップ１４）し、断裁周期を越えている場合は、リカバリー出力する位置の更新（ステップ１５）と出力済みの画像データーの消去（ステップ１６）を実施する。
この実施形態の制御を実施することで断裁周期に含まれる画像枚数が異なる場合でも画像出力しながらリカバリー位置の更新、及び画像メモリの効率的な利用を実施することができる。
断裁周期位置は、制御部によって把握することができ、例えば、印刷条件や、操作表示部による入力枚数などによって把握することができる。
【００６５】
次に、他の実施形態の出力状態を図７に示す。この例では、画像データーに断裁位置を付加する手段を持っており、付加された断裁位置情報に基づいて断裁周期を設定することができる。
図７の上図は６ページ出力ＪＯＢのページ１、ページ４、ページ６に断裁位置を付加しており、ロール給紙出力後にページ１、２の間、ページ４、５の間、ページ６出力完了後に断裁処理が実施される。図７の上図の例では４ページ目でＪＡＭが発生しており、ページ４が含まれる断裁周期はページ２〜４であるため、リカバリー位置はページ２から再開される。
【００６６】
図７の下図は７ページ出力ＪＯＢのページ１、ページ４、ページ６に断裁位置を付加しており、ロール給紙出力後にページ１、２の間、ページ４、５の間、ページ６、７の間、ページ７出力完了後に断裁処理が実施される。図７の下図の例では６ページ目でＪＡＭが発生しており、ページ６が含まれる断裁周期はページ５、６であるため、リカバリー位置はページ５から再開される。
この実施形態の例では、画像ページに断裁位置を付加するため、断裁周期の長さが異なる、断裁周期内の画像枚数が異なる、断裁周期内に含まれる画像サイズが異なるなど、どのようなパターンの画像データーの出力指示を受けても、断裁周期によるリカバリー出力が可能となる。
【００６７】
次に、上記実施形態の手順を図８のフローチャートに基づいて説明する。この手順も制御部の制御によって実行することができる。
先ず、ステップ２０で、出力ページｎ＝１、リカバリー位置ｊ＝１を設定する。
次いで、ｎページの画像データーを配置し、画像データーを出力する（ステップ２１）。
次に、全ページの出力が完了したかを判定する（ステップ２２）。全ページの出力が完了していれば（ステップ２２、Ｙｅｓ）、出力済みの画像データーを消去し手順を終了する。
全ページの出力が完了していなければ（ステップ２２、Ｎｏ）、ステップｓ２３に移行する。
【００６８】
ステップｓ２３では、断裁位置が付与されているかを判定する（ステップｓ２３）。断裁位置が付与されていなければ（ステップｓ２３、Ｎｏ）、ステップｓ２６に移行する。
断裁位置が付与されていれば（ステップｓ２３、Ｙｅｓ）、リカバリー位置（ｊ＝ｎ）を更新し（ステップｓ２４）、出力済みの画像データーを消去する（ステップｓ２５）。
次いで、出力ページ（ｎ＝ｎ＋１）を更新し、ステップｓ２１に移行する。
【００６９】
この実施形態の例では、画像データーに断裁位置を付加されているかを判断して、リカバリー位置の更新を実施する。一つの画像データーが配置時に画像データーに断裁位置が付与されているかを確認する（ステップ２３）。断裁位置が付与されている場合は、リカバリー対象の断裁位置を次のページの断裁に更新を実施する（ステップ２４）。
この実施形態の制御を実施することで断裁周期の距離が異なる、断裁周期内の画像枚数が異なる、断裁周期内の画像サイズが異なる、など全てのパターンにおいて適切な断裁周期を設定することが可能となり、断裁周期単位でのリカバリー出力が可能となる。
なお、上記各実施形態では断裁周期でのリカバリー制御を説明しているが、これらの組み合わせパターンによる断裁周期のリカバリー制御も本発明の範囲である。
【００７０】
また、本実施形態では制御部の制御内容を設定するための設定画面を持っており、操作表示部による断裁周期に含まれる画像枚数の設定や断裁位置の付加の設定を行うことができる。
【００７１】
図９は、操作表示部に表示されたリカバリー出力設定画面１４００を示すものである。
設定画面１４００では、「画像枚数にて断裁周期を設定する」釦１４１０、「給紙長さにて断裁周期を設定する」釦１４２０、「画像データーの断裁位置情報でのリカバリー出力」釦１４３０が、択一的に押下可能に配置されており、「画像枚数にて断裁周期を設定する」釦１４１０では、画像枚数入力部１４１１が並設され、「給紙長さにて断裁周期を設定する」釦１４２０では、給紙長さ入力部１４２１が併設されている。この例では、「画像枚数にて断裁周期を設定する」釦１４１０が選択されて釦の反転表示がされている。
ＯＫ釦１４４０は、設定内容を確定し、キャンセル釦１４４１は、設定内容をキャンセルする。
【００７２】
「画像枚数にて断裁周期を設定する」釦１４１０を選択した場合、画像枚数入力部１４１１において、給紙するロール紙の長さに関係なく画像データーの枚数単位で断裁周期を設定することが可能となる。本設定を実施した場合、図１０の上図の出力物のように断裁周期が設定される。
【００７３】
「給紙長さにて断裁周期を設定する」釦１４２０を選択した場合、画像データーの印字サイズに関わらず、給紙長さ入力部１４２１において給紙するロール給紙の長さにて断裁周期を設定することが可能となる。本設定を実施した場合、図１０の下図の出力物のように断裁周期が設定される。
【００７４】
「画像データーの断裁位置情報でのリカバリー出力」釦１４３０を選択した場合、図１１の設定画面にて設定された断裁位置情報に基づいて断裁周期が設定され、図１１の出力物のように断裁周期が設定される。
ユーザーは出力物に応じて適切な断裁位置を設定することで、設定された内容に基づき断裁周期によるリカバリー出力が可能となる。
【００７５】
図１０は、上記したように、上図は画像枚数にて断裁周期を設定したときに出力される例を示す図である。
図１０の下図は、給紙長さにて断裁周期を設定した時に出力される例である。
図１０の上図のＪＯＢでは２ページ単位で画像サイズが異なっており、給紙長さより画像枚数単位で指定するのが適切であり、図１０の下図のＪＯＢでは給紙長さに収まるように画像サイズが設定されたＪＯＢになっており、画像枚数より給紙長さ単位で指定した方が適切に断裁周期を設定することができる。
ユーザーは出力するＪＯＢ種類に応じて断裁位置を切り替えることで適切な断裁周期を設定することが可能となる。
【００７６】
図１１は、上記したように、断裁位置情報に基づいてリカバリー出力する断裁位置付加設定画面１５００の例である。断裁位置付加方法表示欄１５０１に付加方法の説明がなされている。また、断裁位置説明欄１５０２には、断裁有無の説明が行われている。
図１１は１６ページＪＯＢの出力プレビューを表示した画面であり、各ページの間に△釦が配置されている。プレビュー画面の△釦を押下するごとで断裁位置の付加、及び解除を切り替えることが可能である。付加されると▲に変更される。またテキストボックスの入力によって、一度に多くのページに断裁位置を付加することも可能である。断裁位置付加の方法としては、ロール給紙の長さ単位、画像の枚数周期の単位でも設定することが可能である
【００７７】
なお、上記実施形態では、画像形成装置１に備える制御部によってリカバリー出力の管理を行うものとしたが、前記した管理装置５の管理制御部５Ｂに画像形成装置１のリカバリー出力を管理してもよい。管理装置５では、画像形成装置１における断裁周期の設定を行うとともに、ＪＡＭ情報を制御ＣＰＵ１１３から通知を受け、断裁位置間に含まれる画像のセットを単位としてリカバリー再出力を開始する画像データーを決定することができる。管理装置５では、決定情報を画像形成装置１に通知し、リカバリー出力の指令を画像形成装置１に対し行うことも可能である。
【００７８】
以上、上記実施形態に基づいて本発明の説明を行ったが、本発明の範囲を逸脱しない限りは、上記実施形態において適宜の変更を行うことが可能である。
【符号の説明】
【００７９】
１    画像形成装置
１Ａ  装置本体
２    ネットワーク
３    外部機器（ＰＣ）２
４    ネットワーク
５    管理装置
５Ａ  ＮＩＣ
５Ｂ  管理制御部
１１０    画像形成部
１１３    制御ＣＰＵ
１１５    不揮発メモリ
１２０    画像メモリ（ＤＲＡＭ）
１２１    圧縮メモリ
１２２    ページメモリ
１２８    ＬＡＮインターフェース
２００    給紙部
１４００    リカバリー出力設定画面
１５００    断裁位置付加設定画面
【図１】
0006586774.tif 000002
【図２】
0006586774.tif 000003
【図３】
0006586774.tif 000004
【図４】
0006586774.tif 000005
【図５】
0006586774.tif 000006
【図６】
0006586774.tif 000007
【図７】
0006586774.tif 000008
【図８】
0006586774.tif 000009
【図９】
0006586774.tif 000010
【図１０】
0006586774.tif 000011
【図１１】
0006586774.tif 000012
【図１２】
0006586774.tif 000013
【図１３】
0006586774.tif 000014
【図１４】
0006586774.tif 000015